(57)【要約】      （修正有）【課題】拡張可能なデトネーターによって安定したブローバック作動を可能にすると伴に、軽量薬莢により安全なブローバックモデルガンを提供する。【解決手段】銃身内に設置されているデトネーターの頭部を、発火した玩具火薬の圧力を受けた時のみ拡張する弾性材料をもたせ、発火時に拡張して薬莢内面と密着してスライドの後退力を増大させ、頭部が拡張していない時には薬莢内面との間隙を維持し、この作用により銃身内への薬莢の給弾時にはこの間隙により円滑な給弾効果をもたらすことを特徴とする。デトネーター頭部の拡張機能によって軽量なプラスチック成形薬莢の使用が可能となり、モデルガンのブローバックによって排出された薬莢が、近くのガラスや照明器具等を破損する事故も回避できる。【選択図】図１
0003150763.tif 000002
【実用新案登録請求の範囲】
【請求項１】
発火させた玩具火薬の爆発動力によってモデルガンの給弾装置を作動させ、この作用によって自動的に次弾を給弾して次弾の発射準備が可能になるブローバックモデルガン（玩具用模擬銃器）の、銃身内に設置さているデトネーター（発火用起爆柱）の頭部を弾性材料で作り、火薬の発火圧力を受けた時のみ拡張して外接する薬莢内面と拡張密着させる効果によって玩具火薬の起爆圧力をロス無く利用できる他、発火以前の未発火薬きょうがモデルガンの銃身内に装填される時には、銃身内のデトネーターの弾性材頭部が爆発力を受けずに拡張していない状態では、給弾される未発火薬莢の内面とは微小な間隙を持った非密着状態であり、未発火薬莢は抵抗無くスムーズに銃身内に給弾される事になる効果も併せ持つため、従来からの懸念であった玩具火薬の燃焼カスによって起こる銃身内への薬莢の旧弾不良も同時に回避できる効果を実現した事を特徴とする、銃身内の拡張式デトネーターを備えた自動装填式ブローバックモデルガンの銃身内の拡張式デトネーターと薬莢の構造。
【考案の詳細な説明】
【考案の詳細な説明】
【産業上の利用分野】
【０００１】この考案は、［図１］に示す自動給弾式ブローバックモデルガンの概略構造を示す断面図であり、本考案は［図２］に示すように、ブローバックモデルガン１の銃身２内の薬莢３内の玩具火薬が発火した際に発生する爆発力を受けた時にのみ拡張可能な弾性材料で作られた拡張性頭部５を持った拡張型のデトネーター４をモデルガンの銃身２内に設け、これの拡張効果による薬莢３の内面との気密効果による玩具火薬７の爆発効果の増大と、未発状態での薬莢内面と拡張性デトネーター頭部５との間隙増大の効果によって、銃身２内への次弾６の円滑な給弾が可能にする事により、ブローバックモデルガンの円滑な連発作動を実現するための考案である。
【背景技術】
【０００２】  従来の玩具火薬の爆発力を利用して自動的に銃身２内に次弾を給弾して連発させる構造のブローバックモデルガンの作動方式には、［図２］に示す金属性中空薬莢１２と金属製のデトネーター８で構成されており、中空薬莢１２内の玩具火薬７の爆発力を受けて中空薬莢１２は［図３］に示すよう銃身より後方に運動を開始して、モデルガンの自動給弾動力を発生させる、構造の簡素な（デトネーター方式）と、［図４］は、内部にブローバック作動の原動力となるピストン９を持った［図５］よる複雑な構造の（プラグファイヤー方式）であり、従来のブローバックモデルガンの自動給弾方式にはこの二方式がある。【０００３】  また［図５］のプラグファイヤー方式は、作動は確実であるがプラグファイヤー薬莢１０の構造が複雑で高価な他、薬莢の重量が重いため、ブローバック作動によってモデルガンから排出された薬莢が窓に当たってガラスを割ったり、室内の照明器具を壊したりする事故も起きている危険性があり、使用環境上での安全性に問題があった。【０００４】  一方［図３］のデトネーター方式は、図示のように薬莢の構造が簡素ではあるが金属性中空薬莢１２の内面と金属製のデトネーター頭部１３との寸法間隙を５／１００ミリ程度での双方の気密維持のために非常に極小に保つ必要がある事から、使用する薬莢も金属材料の切削加工で製作しなければならないわりには、使用する玩具火薬の燃焼カスの金属性デトネーター頭部１３への堆積によって、実際には数発から数十発に連続使用で薬莢の装弾不良が起こってしまう現実によって、その商品性は手入れも楽しみの一部と考える愛好者のみの対象物となっているのが現状であり、玩具火薬によるモデルガンの円滑なるブローバック作動の実現は、モデルガンマニアやメーカーにとっては永遠の研究課題となっているのが現状である。
【考案が解決しようとする課題】
【０００５】  この考案は、構造が簡素ではあるが玩具火薬の連続発火によって発生する燃焼カスに起因するデトネーター方式でのブローバックの連続作動不良の原因を、［図７］に示す拡張型デトネーターの効果１２によって解消し、更に同考案デトネーターヘッドの弾性材料による拡張効果１３は、［図８］に示すように、玩具火薬の圧力を受けていない状態でのデトネーター頭部１３は拡張していないために、従来より遥かに大きい薬莢７の内面との間隙５３が可能となり、この効果によって薬莢３の銃身２の薬莢室１５への給弾抵抗も軽減されて、ブローバックの連続作動性能を著しく向上させる。
【０００６】  また、玩具火薬の発火ガスの圧力により拡張する性質を持つデトネーター頭部５は、その拡張効果によって［図８］に示すように薬莢３の内面と密着寸法精度を緩慢にさせる事により、薬莢３の内面との寸法精度の許容範囲５３を飛躍的に拡大させ、従来精度では無理であったエンジニアリングプラスチック成形品の薬莢の使用を可能にし、これによって安価で軽量な薬莢の使用が可能となり、また、プラスチック薬莢での軽量化により、従来起こりがちであった排出された金属薬莢での他人や周辺物への衝突事故の回避も可能となり、玩具銃器としての商品価安全使用の面でも、大きく貢献できる。
【課題を解決するための手段】
【０００７】  ［図７］に示すこの考案は、ブローバックモデルガンの銃身２内に拡張可能な弾性材料の頭部５を持った起爆用のデトネーター４を設け、同デトネーター頭部５の外周と銃身後部の薬莢室１５に給弾された薬莢内３において、薬莢後部より加えられた激発力によって薬莢内の玩具火薬７が爆発した時のみ、これによって発生する火薬ガスの圧力によって薬莢内に位置しているデトネーター頭部５の弾性材料が圧さて外形が拡張し、薬莢３の内面に密着する状態となる事によって薬莢内の火薬ガスの圧力は、［図８］に示す、薬莢が薬莢室内１５に円滑に装弾されるために必要であったデトネーター頭部５と薬莢３の内面との間隙５３からガスが漏れる事が無くなり、発生した火薬ガスが有効にスライド１４のブローバック動力として作用する効果を生む。
【考案の効果】
【０００８】  従来の拡張性能を持たない全金属性オープンデトネーター方式での銃身内でブローバック動力として働く薬莢３は、その内面精度と平滑性の維持のために、真鍮等の金属材料を切削加工によって製作されていたが、本考案によるデトネーター頭部５の拡張効果によって［図８］に示す薬莢３の内面の寸法精度５３が大幅に緩和された事により、エンジニアリングプラスチックを用いた成形品の薬莢の内面精度でも十分にその効果を可能にした事により、従来起こりがちであった排出された重い金属薬莢での他人や周辺物への衝突事故の回避できるという、取り扱い面でのより高い安全性を持ったブローバックモデルガンを提供する事ができる。
【実施例】
【０００９】  以下図面を参照しながらこの考案について説明する。
［図９］は、この考案の実施例において、玩具火薬の発火ガスを動力としてスライド１４を前後に摺動させ、この前後運動によりマガジン内の次弾６を銃身内の薬莢室１５に給弾させて自動的に連発させる作用を持つブローバックモデルガンにおける、銃身後部の薬莢室１５内に設置されて本考案による拡張可能な頭部５を持つ拡張型デトネーター４の実施例のためのブローバックモデルガン内部での設置状況図である。【００１０】  ［図９］に示す銃身内の薬莢室１５内に設置される拡張型デトネーター４の先端に、玩具火薬の発火によって発生する火薬ガスの圧力を受けて拡張可能な性質を持つ頭部５を設け、銃身後部の薬莢室１５内に、デトネーター頭部５に被さるように玩具火薬７を詰めた薬莢３が、スライド１４の前後運動によってモデルガンのマガジン１６より給弾されている状態を示し、薬莢後部よりの打撃１７により発火した玩具火薬７のガス圧を受けた頭部５が断面方向に圧される事に伴って外周が拡張されて［図８］に示す薬莢３の内面との間隙５３が密着する事により、玩具火薬の発火ガスは漏れる事無く有効に薬莢３を薬莢室後方に押し出して排出し、この動力によりスライド１４はリコイルスプリング１８を後方に圧縮しながら後方に後退を開始する。【００１１】  ［図１０］に示すように、薬莢が発生した後退力を受けた自己慣性によって後方に摺動運動を続けるスライド１４によって発火済みの薬莢３は後方に引き出されて排出され、なおも慣性によって後退するスライド１４は、前方下部４４が銃身基部２２に当たって後退を停止し、後退に伴って圧縮されていたリコイルスプリング１８の復元力によりスライド１４は後退前の位置に前進する際、スライド１４の給弾下部１９が、下のマガジン１６より次の未発火薬莢６を前に押し出し、マガジン上部の未発火薬莢６は、［図６］に示すように銃身後部の薬莢室  に給弾して次弾６の発火準備を行う。
【図面の簡単な説明】
【００１２】
【図１】  はこの考案をモデルガンに実施状況を示した状態の断面図である。
【図２】  は本考案による銃身部内の詳細図である。
【図３】  は従来の金属製中空薬莢とデトネーターを構造を示した説明図である。
【図４】  は［図３］が玩具火薬７のよって後退作動状態を示す説明図である。
【図５】  は従来のプラグファイヤー方式の構造を示した説明図である。
【図６】  はプラグファイヤーの後退作動状態を示した説明図である。
【図７】  本考案の作用を示した断面図である。
【図８】  本考案の効果を示した断面図である。
【図９】  本考案の実施したモデルガンの実施例を示した断面図である。
【図１０】  は［図９］のモデルガンのブローバック状態作動を示した説明断面図である。
【図１１】  は［図９］のモデルガンのブローバック作動により、銃身内へ次の薬莢を給弾する状態を示した断面図である。
【符号の説明】
【００１３】  １  ブローバックモデルガン
２  銃身
３  薬莢
４  拡張型デトネーター
５  拡張性デトネーター頭部
６  マガジン内の次弾
７  玩具火薬
８  従来の金属製デトネーター
９  プラグファイヤーピン
１０  プラグファイヤー薬莢
１１  プラグファイヤー薬莢底部
１２  金属製中空薬莢
１３  金属製デトネーター頭部
１４  スライド
１５  銃身内の薬莢室
１６  マガジン
１７  薬莢後部よりの打撃
１８  リコイルスプリング
１９  スライドの給弾下部
２２  銃身基部
４４  スライドの前方下部
５３  薬莢内面との間隙
【図１】
0003150763.tif 000003
【図２】
0003150763.tif 000004
【図３】
0003150763.tif 000005
【図４】
0003150763.tif 000006
【図５】
0003150763.tif 000007
【図６】
0003150763.tif 000008
【図７】
0003150763.tif 000009
【図８】
0003150763.tif 000010
【図９】
0003150763.tif 000011
【図１０】
0003150763.tif 000012
【図１１】
0003150763.tif 000013
【手続補正書】
【提出日】平成21年3月3日(2009.3.3)
【手続補正１】
【補正対象書類名】実用新案登録請求の範囲
【補正対象項目名】全文
【補正方法】変更
【補正の内容】
【実用新案登録請求の範囲】
【請求項１】
発火させた玩具火薬の爆発動力によってモデルガンの給弾装置を作動させ、この作用によって自動的に次弾を給弾して次弾の発射準備が可能になるブローバックモデルガンの、銃身内に設置さているデトネーターの頭部を弾性材料で作り、火薬の発火圧力を受けた時のみ拡張して外接する薬莢内面と拡張密着させる効果によって玩具火薬の起爆圧力をロス無く利用できる他、発火以前の未発火薬莢がモデルガンの銃身内に装填される時には、銃身内のデトネーターの弾性材頭部が爆発力を受けずに拡張していない状態では、給弾される未発火薬莢の内面とは微小な間隙を持った非密着状態であり、未発火薬莢は抵抗無くスムーズに銃身内に給弾される事になる効果も併せ持つため、従来からの懸念であった玩具火薬の燃焼カスによって起こる銃身内への薬莢の給弾不良も同時に回避できる効果を実現した事を特徴とする、銃身内の拡張式デトネーターを備えた自動装填式ブローバックモデルガンの銃身内の拡張式デトネーターと薬莢の構造。